(57)【特許請求の範囲】
【請求項１】
被乾燥物を収納する回転ドラムと、前記回転ドラムを駆動するモータと、前記回転ドラム内の被乾燥物を加熱する加熱装置と、前記回転ドラムを覆い前面に開口部を有するボデーと、前記ボデーの開口部を閉塞する蓋とを備え、前記蓋には、略中央部に嵌合保持される透明樹脂製の窓カバーと、前記蓋の裏面側に保持される窓ガラスと、前記窓ガラスを固定し外周に前記開口部を気密保持するパッキングを有する透明樹脂製の内蓋と、前記窓ガラスと対応する位置で略同等の透孔を有し前記ボデーの開口部と略同等の大きさを有した導電性のある不燃材からつくられ前記内蓋と前記蓋とに挟みこまれて固着された中蓋とが固定され、前記窓カバー、窓ガラスおよび内蓋により３重構造の覗き窓が形成されるとともに、前記中蓋に一端を接触または近接し他端を前記蓋の裏面側で外気と連通する空間に接触するように自己除電作用部材を設け、この自己除電作用部材はフェルト状であって一部が前記内蓋と当接するようにして前記蓋に固定した衣類乾燥機。
【発明の詳細な説明】
【０００１】
【産業上の利用分野】
本発明は、被乾燥物を収納した回転ドラムをモータにより駆動し、加熱装置により回転ドラム内の被乾燥物を乾燥する衣類乾燥機に関する。
【０００２】
【従来の技術】
従来、この種の衣類乾燥機は、図１０に示すように構成していた。以下、その構成について説明する。
【０００３】
図に示すように、ボデー１０１は、乾燥機本体の外郭を形成するもので、内部に衣類（被乾燥物）を収納する回転ドラム１０２を回転自在に設け、この回転ドラム１０２をモータ１０３により駆動する。蓋１０４は、不透明材で形成されボデー１０１の開口部を閉塞するもので、気密を保持し内蓋１０５に装着されたパッキング１０６を有し、鉄板などの不燃材により形成された中蓋１０７を内蓋１０５を介してねじなどにより固着していた。
【０００４】
突起部１０８は、蓋１０４の開閉を検知する蓋スイッチ１０９を動作させるもので、蓋１０４に設けていた。回転磁石１１０は、収納部１１１と蓋部１１２との２部品に納められる磁石１１３とにより構成され、回転ドラム１０２の後面に設け、この回転磁石１１０と対向する位置に設けた回転スイッチ１１４に信号を送る構成としていた。
【０００５】
【発明が解決しようとする課題】
しかしながら、このような従来の構成では、回転ドラム１０２内の被乾燥物の低温発火などに対する安全構造として、不燃材製の中蓋１０７を鉄板などで形成し、この中蓋１０７が回転ドラム１０２内の被乾燥物と接触する内蓋１０５と当接しているので、被乾燥物と内蓋１０５との摩擦による静電気が中蓋１０７に蓄積され、使用者が乾燥終了後に蓋１０４を開けた際、内蓋１０５を固着する金属製のねじなどに接触した場合、この金属製のねじなどを介して中蓋１０７に蓄積された静電気が瞬時に放電してしまうため、使用者に軽い電撃を与える恐れがあった。
【０００６】
本発明は上記課題を解決するもので、金属製の中蓋に帯電した静電気を除電し、使用時の安全性を向上することを目的としている。
【０００７】
【課題を解決するための手段】
本発明は上記目的を達成するために、被乾燥物を収納する回転ドラムと、前記回転ドラムを駆動するモータと、前記回転ドラム内の被乾燥物を加熱する加熱装置と、前記回転ドラムを覆い前面に開口部を有するボデーと、前記ボデーの開口部を閉塞する蓋とを備え、前記蓋には、略中央部に嵌合保持される透明樹脂製の窓カバーと、前記蓋の裏面側に保持される窓ガラスと、前記窓ガラスを固定し外周に前記開口部を気密保持するパッキングを有する透明樹脂製の内蓋と、前記窓ガラスと対応する位置で略同等の透孔を有し前記ボデーの開口部と略同等の大きさを有した導電性のある不燃材からつくられ前記内蓋と前記蓋とに挟みこまれて固着された中蓋とが固定され、前記窓カバー、窓ガラスおよび内蓋により３重構造の覗き窓が形成されるとともに、前記中蓋に一端を接触または近接し他端を前記蓋の裏面側で外気と連通する空間に接触するように自己除電作用部材を設け、この自己除電作用部材はフェルト状であって一部が前記内蓋と当接するようにして前記蓋に固定したことを課題解決手段としている。
【０００８】
【作用】
本発明は上記した課題解決手段により、中蓋の一部に一端を接触または近接し他端を蓋の裏面側で外気と連通する空間に接触するように自己除電作用部材を設けているため、この自己除電作用部材により導電性の中蓋に帯電した静電気を除電することができ、使用時の安全性を向上することができる。
【０００９】
【実施例】
以下、本発明の第１の実施例を図１および図２を参照しながら説明する。
【００１０】
図に示すように、ボデー１は、内部に衣類を攪拌するリフターを有する回転ドラム２を回転自在に設け、回転ドラム２は、ボデー１内の後面で回転自在に軸支され、前面で円環状の回転ドラム支持板（軸受け部）３の外周フランジ部で摺動支持し、モータ４、ドラムベルト５によって駆動され、ＰＴＣヒータ（加熱装置）６により回転ドラム２内に流入する乾燥用空気を加熱する。ボデー１の前面には衣類を投入する開口部７を設け、この開口部７を開閉する蓋８をボデー１に回動自在に係止している。
【００１１】
蓋８は、略中央部に嵌合保持される透明樹脂製の窓カバー９と、蓋８の裏面側に保持される耐熱ガラス製の窓ガラス１０と、この窓ガラス１０と対応する位置で略同等の透孔を有し開口部７と略同等の大きさで鉄板などの不燃材で形成した中蓋１１と、外周に開口部７を気密保持するパッキング１２を装着した透明樹脂製の内蓋１３とから構成されており、外側より窓カバー９、窓ガラス１０、内蓋１３からなる３重構造の覗き窓を備えている。内蓋１３は、蓋８に設けられたボスに中蓋１１を挟み込んでねじなどにより固着されている。
【００１２】
自己除電作用部材１４は、静電気を空気中のイオンと中和させるコロナ放電作用により除電するもので、アクリル繊維、ナイロン繊維などに硫化銅を化学結合させた有機導電性繊維をフェルト状に形成しており、蓋８の裏面に設けられた環状リブ１５に貼付し、一端を中蓋１１の外縁部１６の一部に接触または近接させ、他端を蓋８の裏面側で外気と連通する空間１７と接触させている。
【００１３】
上記構成において作用を説明すると、自己除電作用部材１４は、フェルト状に形成し、蓋８の裏面に設けられた環状リブ１５に貼付され、一端を中蓋１１の外縁部１６の一部に接触または近接させ、他端を蓋８の裏面側で外気と連通する空間１７と接触させているため、この自己除電作用部材１４により、金属製の中蓋１１に帯電した静電気を空気中のイオンと中和させるコロナ放電作用により除電することができ、使用者が乾燥終了後に蓋８を開けた際、内蓋１３を固着する金属製のねじなどに接触した場合でも電撃を与える恐れがなく、使用時の安全性を向上することができる。
【００１４】
つぎに、本発明の第２の実施例を図３および図４を参照しながら説明する。なお、上記第１の実施例と同じ構成のものは同一符号を付して説明を省略する。
【００１５】
図に示すように、蓋８は、軸受部１８、１９を一体に設け、これら軸受部１８、１９に対応して、ボデー１にねじ２０でて着した上下一対の樹脂製の蝶番軸２１、２２に回動自在に係止されるとともに、上側の蝶番軸２１に一体に設けた蓋８の回動中心と同軸上の支軸２３に遊嵌支持され、一端をボデー１側に他端を蓋８側に当接させた捻りコイルばね状の蝶番ばね（ばね材）２４により付勢されている。蝶番ばね２４の蓋８の当接部には、蝶番ばね２４の端部を固定する位置決め用リブ２５を設けている。蝶番ばね２４の他端は、蝶番軸２１を固着するねじ２０の外周に固定している。
【００１６】
上記構成において作用を説明すると、上側の蝶番軸２１に一体に設けた蓋８の回動中心と同軸上の支軸２３に遊嵌支持され、一端をボデー１側に他端を蓋８側に当接させた捻りコイルばね状の蝶番ばね２４により付勢されているため、使用者が蓋８を開け、回転ドラム２へ被乾燥物を出し入れをする際の蓋８の自然閉状態を防止することができ、作業の邪魔を防止することができ、使用操作性を向上することができる。
【００１７】
また、蝶番ばね２４の蓋８の当接部には、蝶番ばね２４の端部を固定する位置決め用リブ２５を設けているため、蝶番ばね２４が容易に外れなくなる上、ばねの端部の保護ができ、安全性にも優れている。
【００１８】
つぎに、本発明の第３の実施例を図５を参照しながら説明する。
【００１９】
図に示すように、捻りコイルばね状の蝶番ばね（ばね材）２６は、中蓋１１の一部に一端を付勢力を持たせて電気的かつ機械的に接触させ、他端をボデー１に螺着したねじ２０に共締めして電気的かつ機械的に接触させている。
【００２０】
上記構成において作用を説明すると、捻りコイルばね状の蝶番ばね２６は中蓋１１の一部に一端を接触させ、他端をボデー１に螺着されたねじ２０に接触させているため、この蝶番ばね２６が金属性の中蓋１１に帯電した静電気をねじ２０を介してボデー１へ流すことにより除電することができ、使用者が乾燥終了後に蓋８を開けた際、内蓋１３を固着する金属製のねじなどに接触した場合でも、電撃を与える恐れがなく、使用時の安全性を向上することができ、また、被乾燥物を出し入れする際の蓋８の自然閉状態を防止することができ、使用操作性を向上することができる。
【００２１】
つぎに、本発明の第４の実施例を図１および図６を参照しながら説明する。
【００２２】
図に示すように、第１のリードスイッチ（第１の感磁素子）２７は、蓋８の開閉を検知するもので、本体側に取り付け、この第１のリードスイッチ２７と対向する位置に第１の磁石２８が設けている。第１の磁石２８は、この第１の磁石２８を覆う天面２９と、爪３０を形成した側面と、凸部３１を有する底面とを熱可塑性樹脂などの弾性を有する樹脂により連続的に形成したケース３２と、このケース３２の爪３０と係合する穴部を有する縦リブ３３と、第１の磁石２８のケース３２に覆われていない面を覆う横リブ３４を一体に設けた蓋８とにより全面被覆状態にて、かつ着脱可能に蓋８に装着している。
【００２３】
上記構成において作用を説明すると、蓋８の開閉を検知する本体側に設けられた第１のリードスイッチ２７と、この第１のリードスイッチ２７と対向する位置に設けた第１の磁石２８とを備えているため、蓋スイッチ用として蓋８に設ける突起部を廃止することができて目などを突くことを防止でき、使用時の安全性を向上することができる。
【００２４】
また、第１の磁石２８は、この第１の磁石２８を覆う天面２９と、爪３０を形成した側面と、凸部３１を有する底面とを連続的に形成したケース３２と、このケース３２の爪３０と係合する縦リブ３３と、第１の磁石２８のケース３２に覆われていない面を覆う横リブ３４を設けた蓋８とにより全面被覆状態にて、かつ着脱可能に装着されているため、第１の磁石２８の取付後のがたを吸収することができ、外観品位を保持できるばかりでなく、ワンタッチで第１の磁石２８の着脱ができ、組立およびサービス時の作業性を向上することができる。
【００２５】
また、ケース３２を蓋８に取り付けると、凸部３１が蓋８と接触して押圧され、側面方向に広がるように加圧されるため、側面の爪３０は外方向に付勢され、爪３０の外れ防止ができる。
【００２６】
つぎに、本発明の第５の実施例を図１、図７および図８を参照しながら説明する。
【００２７】
図に示すように、蓋８の下方には、操作ボタンなどを有する操作パネル３５をねじなどでボデー１に固着しており、この操作パネル３５には、モータ４やＰＴＣヒータ（加熱装置）６を制御する制御装置（取付板）３６を配置している。
【００２８】
第２のリードスイッチ（第２の感磁素子）３７は、回転ドラム２の前面側に設けた第２の磁石３８の磁気により回転ドラム２の回転を検知するもので、制御装置３６に装着している。蓋８の開閉を検知する第１のリードスイッチ（第１の感磁素子）２７は、この第２の磁石３８の回転軌道上近傍の磁気の影響を受ける位置である制御装置３６上に装着している。第１のリードスイッチ２７に信号を送る第１の磁石２８は、第１のリードスイッチ２７に対向する位置で蓋８の下端部に設けている。
【００２９】
遮蔽板３９は、磁性材料で形成しており、制御装置３６に装着した第１のリードスイッチ２７の後方で第２の磁石３８との間に配置され、一方の取付部４０は、制御装置３６をねじなどで螺着する操作パネル３５に共締めされ、他方は一体に形成した隆起部４１により制御装置３６に係止されている。
【００３０】
上記構成において作用を説明すると、回転ドラム２の回転を検知する第２のリードスイッチ３７と、第２のリードスイッチ３７に信号を送り回転ドラム２に設けた第２の磁石３８と、第２の磁石３８の軌道近傍に設けた第１のリードスイッチ２７を設けた制御装置３６と、制御装置３６をねじなどで固着しボデー１に固着される操作パネル３５と、第１のリードスイッチ２７の後方で第２の磁石３８との間に配置される磁性材料からなる遮蔽板３９とを備えているため、第２の磁石３８や第２のリードスイッチ３７を前面側に集中させることができ、配線などの簡素化が図れ、組立およびサービス時の作業性向上とコストの低廉化を図ることができる。
【００３１】
また、第１のリードスイッチ２７を第２の磁石３８から遮蔽するように遮蔽板３９が設けられているので、第２の磁石３８からの磁気が遮蔽板３９に吸引され、第１のリードスイッチ２７の誤動作を防止でき、安全性を向上させることができる。また、遮蔽板３９は、一方を制御装置３６をねじなどで螺着する操作パネル３５に共締めされ、他方を一体に形成した隆起部４１により制御装置３６に係止されているため、材料を小さくすることができ、コストの低廉化が図れる。
【００３２】
つぎに、本発明の第６の実施例を図９を参照しながら説明する。
【００３３】
図に示すように、遮蔽板４２は、磁性材料で形成されたボデー１と一体に形成されており、制御装置（取付板）３６に装着した第１のリードスイッチ（第１の感磁素子）２７の後方で第２の磁石３８との間に配置されている。
【００３４】
上記構成において作用を説明すると、上記第５の実施例と同様に、遮蔽板４２により、第２の磁石３８からの磁気が遮蔽板４２に吸引され、第１のリードスイッチ２７の誤動作を防止でき、安全性を向上させることができる上、蔽板４２は、ボデー１と一体に形成されているため、部品点数の削減が図れ、コストの低廉化、組立およびサービス時の作業性を向上することができる。
【００３５】
【発明の効果】
以上のように本発明は、被乾燥物を収納する回転ドラムと、前記回転ドラムを駆動するモータと、前記回転ドラム内の被乾燥物を加熱する加熱装置と、前記回転ドラムを覆い前面に開口部を有するボデーと、前記ボデーの開口部を閉塞する蓋とを備え、前記蓋には、略中央部に嵌合保持される透明樹脂製の窓カバーと、前記蓋の裏面側に保持される窓ガラスと、前記窓ガラスを固定し外周に前記開口部を気密保持するパッキングを有する透明樹脂製の内蓋と、前記窓ガラスと対応する位置で略同等の透孔を有し前記ボデーの開口部と略同等の大きさを有した導電性のある不燃材からつくられ前記内蓋と前記蓋とに挟みこまれて固着された中蓋とが固定され、前記窓カバー、窓ガラスおよび内蓋により３重構造の覗き窓が形成されるとともに、前記中蓋に一端を接触または近接し他端を前記蓋の裏面側で外気と連通する空間に接触するように自己除電作用部材を設け、この自己除電作用部材はフェルト状であって一部が前記内蓋と当接するようにして前記蓋に固定したから、自己除電作用部材により金属製の中蓋に帯電した静電気を除電することができ、使用時の安全性を向上することができる。
【図面の簡単な説明】
【図１】  本発明の第１の実施例の衣類乾燥機の縦断面図
【図２】  同衣類乾燥機の要部拡大断面図
【図３】  本発明の第２の実施例の衣類乾燥機の蓋を開けた状態の一部切欠した斜視図
【図４】  同衣類乾燥機の蓋を開けた状態の要部拡大正面図
【図５】  本発明の第３の実施例の衣類乾燥機の蓋を開けた状態の一部切欠した正面図
【図６】  本発明の第４の実施例の衣類乾燥機の要部分解斜視図
【図７】  本発明の第５の実施例の衣類乾燥機の要部断面図
【図８】  同衣類乾燥機の遮蔽板の斜視図
【図９】  本発明の第６の実施例の衣類乾燥機の要部断面図
【図１０】  従来の衣類乾燥機の縦断面図
【符号の説明】
１  ボデー
２  回転ドラム
４  モータ
６  ＰＴＣヒータ（加熱装置）
７  開口部
８  蓋
１１  中蓋
１４  自己除電作用部材
１７  空間
【図１】
0003648774.tif 000002
【図２】
0003648774.tif 000003
【図３】
0003648774.tif 000004
【図４】
0003648774.tif 000005
【図５】
0003648774.tif 000006
【図６】
0003648774.tif 000007
【図７】
0003648774.tif 000008
【図８】
0003648774.tif 000009
【図９】
0003648774.tif 000010
【図１０】
0003648774.tif 000011